(57)【要約】【課題】  所定の機能の設定を行う際に、簡単に設定画面を表示できるようにする。【解決手段】  携帯電話機１００は、機能設定画面を表示する表示部１４と、所定の機能設定画面を表示させる指示を行うとともに、表示された機能設定画面を終了させる指示を行うための機能キー１６３と、機能キー１６３に対応する所定の機能設定画面を表示部１４に表示するように制御する表示画面変更部１１１と、を備え、機能キー１６３が操作されたとき、表示部１４に所定の機能設定画面を表示して、機能設定ができるように構成する。【選択図】  図３
2010199692.tif 000002
【特許請求の範囲】
【請求項１】
機能設定画面を表示する表示手段と、
所定の機能設定画面を前記表示手段に表示させる指示を行うとともに、表示された機能設定画面を終了させる指示を行うために当該機能設定画面に対応して設けられた操作手段と、
前記機能設定画面に設けられた複数の設定パラメータ入力欄に対する入力を行う入力手段と、
前記操作手段からの指示に基づいて当該操作手段に対応する所定の機能設定画面を前記表示手段に表示するように制御するとともに、前記入力手段から入力された設定パラメータに基づいて所定の機能を制御する制御手段と、を備えたことを特徴とする電子機器。
【請求項２】
前記操作手段は、複数の機能設定画面に対応してあらかじめ割り振られた複数の番号キーからなるテンキーであることを特徴とする請求項１に記載の電子機器。
【請求項３】
前記制御手段は、前記入力手段による設定パラメータの入力の際に、前記複数の設定パラメータ入力欄を順次サイクリックに切り換えることを特徴とする請求項１又は請求項２に記載の電子機器。
【発明の詳細な説明】
【技術分野】
【０００１】
本発明は、電子機器の機能設定制御に関するものであり、特に、携帯電話機，携帯情報端末等の電子機器の表示画面に簡単な操作で設定画面を表示させながら所定の機能の設定を行うことができる電子機器に関するものである。
【背景技術】
【０００２】
従来、電子機器において所定の機能の設定を行う場合、待ち受け画面の状態で、所定のキーを押して、表示部にメニュー画面を表示させ、その中から所望の機能設定アイコンを選択して設定画面に移行し、設定作業を行うようにしている。
【０００３】
この従来の設定作業のように、所定のキーを押して、表示部にメニュー画面を表示させるようにしたものでは、機能の設定を行うのに、所定のキーを押してメニュー画面を表示してから、機能に対応するアイコンを選択し、設定画面を表示するため、設定画面を表示するまでに面倒な操作をする必要がある。
【０００４】
このため、特許文献１（特開２００８−５４１３９号公報）に示されるように、所定の機能についての設定を行うことができるショートカットアイコンを表示部の待ち受け画面上に表示しておき、表示されたショートカットアイコンのうちの１つが選択されると、該ショートカットアイコンに対応付けられた機能の設定画面を画面上に表示して、機能の設定を受け付けるようにした技術も提案されている。
【先行技術文献】
【特許文献】
【０００５】
【特許文献１】特開２００８−５４１３９号公報（段落［００１７］〜段落［００２０］、図３）
【発明の概要】
【発明が解決しようとする課題】
【０００６】
しかしながら、上記特許文献１のように、機能設定用のショートカットアイコンを表示部の待ち受け画面上に表示させるようにしたものでも、設定画面を表示するのに、所望のショートカットアイコンを選択するための面倒な操作（アイコンの種類確認など）が必要になるという問題点があった。
【０００７】
本願の発明者は上記の問題点を解消すべく種々検討を重ねた結果、所定の機能設定キーを押下することで機能設定画面を呼び出し、この機能設定画面において各種機能の設定コマンド（数字）を入力し、最後に同じ機能設定キーを押下することにより機能の設定を完了させるようになせば、上記の問題点を解消し得ることを想到し本発明を完成するに至ったものである。
【０００８】
すなわち、本発明は、上記の問題点を解消することを課題とし、所定の機能の設定を行う際に、簡単に設定画面を表示させて各種機能の設定を行うことができるようにすることを目的とするものである。
【課題を解決するための手段】
【０００９】
前記課題を解決するため、本願の請求項１に係る発明は、機能設定画面を表示する表示手段（例えば下記実施例では、表示部１４に相当する）と、所定の機能設定画面を前記表示手段に表示させる指示を行うとともに、表示された機能設定画面を終了させる指示を行うために当該機能設定画面に対応して設けられた操作手段（例えば下記実施例では、機能キー１６３に相当する）と、前記機能設定画面に設けられた複数の設定パラメータ入力欄に対する入力を行う入力手段（例えば下記実施例では、テンキー１６１に相当する）と、
前記操作手段からの指示に基づいて当該操作手段に対応する所定の機能設定画面を前記表示手段に表示するように制御するとともに、前記入力手段から入力された設定パラメータに基づいて所定の機能を制御する制御手段（例えば下記実施例では、表示画面変更部１１１や設定機能処理部１１２に相当する）と、を備えたことを特徴とする。
【００１０】
また、本願の請求項２に係る発明は、請求項１に係る電子機器において、前記操作手段は、複数の機能設定画面に対応してあらかじめ割り振られた複数の番号キーからなるテンキーであることを特徴とする。
【００１１】
また、本願の請求項３に係る発明は、請求項１又は請求項２に係る電子機器において、前記制御手段は、前記入力手段による設定パラメータの入力の際に、前記複数の設定パラメータ入力欄を順次サイクリックに切り換えることを特徴とする。
【発明の効果】
【００１２】
本発明の電子機器は、次のような効果を奏する。すなわち、請求項１に係る発明においては、所定の機能設定画面を前記表示手段に表示させる指示を行うとともに、表示された機能設定画面を終了させる指示を行うために当該機能設定画面に対応して設けられた操作手段を設け、この操作手段から指示があったとき、表示手段に所定の機能設定画面を表示するようにしたので、所定の機能の設定を行う際に、簡単に設定画面を表示できる。
【００１３】
また、請求項２に係る発明においては、請求項１に係る電子機器において、複数の機能設定画面にそれぞれ対応する操作手段を、複数の番号キーからなるテンキーに割り振ったので、操作手段として特別のキーを設けることなく、多数の機能設定のための機能設定キーを備えることができる。
【００１４】
また、請求項３に係る発明においては、請求項１又は請求項２に係る電子機器において、機能設定画面において、設定パラメータを入力する際、複数の設定パラメータ入力欄を順次サイクリックに切り換えるように構成した。このような構成によれば、例えば、設定パラメータ入力欄が複数の桁からなる数字入力欄の場合、最上位の桁から順次下位の桁の入力に移行し、最下位の桁の入力完了後、再度、最上位の桁の入力に戻るようにしたので、いずれかの桁で誤入力をしても、入力を取り消すための面倒な操作をすることなく簡単に再入力ができる。
【図面の簡単な説明】
【００１５】
【図１】本発明の実施例に係る携帯電話機の概略構成を示すブロック図である。
【図２】本発明の実施例に係る携帯電話機の外観を示す図である。
【図３】本発明の実施例に係る携帯電話機におけるアラーム設定操作に応じて表示部に表示される設定画面の一例を示す図である。
【図４】本発明の実施例に係る携帯電話機におけるアラーム設定操作時の数字入力方法を説明するための図である。
【発明を実施するための形態】
【００１６】
以下、本発明の具体例を実施例及び図面を用いて詳細に説明する。但し、以下に示す実施例は、本発明の技術思想を具体化するための携帯電話機を例示するものであって、本発明をこの携帯電話機に特定することを意図するものではなく、特許請求の範囲に含まれるその他の実施形態の電子機器にも等しく適用し得るものである。
【実施例】
【００１７】
（１）実施例１
図１は、本発明の実施例に係る携帯電話機の概略構成を示すブロック図である。携帯電話機１００は、図１のブロック図に示すように、通信部１、アンテナ２、ベースバンド部３、第１スピーカ４、増幅回路５，７，９、マイクロホン６、第２スピーカ８、切替部１０、制御部１１、ＲＯＭ１２、ＲＡＭ１３、表示部１４、バイブレータ１５、入力部１６、開閉検出部１７などを備えて構成されている。
【００１８】
通信部１は、アンテナ２と接続されており、アンテナ２を介して基地局からの電波を受信し、アンテナ２を介してベースバンド部３からの信号を基地局へ発信する。ベースバンド部３は、通信部１と接続されており、ＣＤＭＡ処理回路３１と、音声コーデック３２と、を有している。
【００１９】
ここで、ＣＤＭＡ処理回路３１は、符号分割多元接続、スクランブル、誤り制御、タイミング検出を行う。また、音声コーデック３２は、音声を圧縮（符号化）、伸張（復号化）したり、アナログとデジタルの変換を行ったり、内部の増幅回路（図示省略）により受話音量やマイクロホンの感度を変更する。
【００２０】
第１スピーカ４は、増幅回路５で増幅されたベースバンド部３の電気信号を音声に変換する。この第１スピーカ４は、ユーザの耳にあてて通話に使用される。マイクロホン６は、通話に使用され、音声を電気信号に変換する。マイクロホン６により出力された電気信号は、増幅回路７で増幅されてベースバンド部３に出力される。
【００２１】
第２スピーカ８は、増幅回路９で増幅されたベースバンド部３の電気信号を音声に変換する。この第２スピーカ８は、受話音を周囲の人にも聞かせるための拡声用のスピーカである。また、第２スピーカ８は、着信報知やアラームの鳴動も行う。
【００２２】
切替部１０は、ベースバンド部３と接続されるとともに、増幅回路５，７，９を介してそれぞれ第１スピーカ４、マイクロホン６、第２スピーカ８と接続されている。そして、ベースバンド部３との接続を、第１スピーカ４用の増幅回路５とマイクロホン６用の増幅回路７側にするか、あるいは拡声用の第２スピーカ８用の増幅回路９とマイクロホン６用の増幅回路７側にするかを切り替える。なお、これらの３つの増幅回路５，７，９は、ゲインを固定しており、第１スピーカ４及び第２スピーカ８の音量やマイクロホン６の感度を変更することはできないようになっている。
【００２３】
制御部１１は、マイクロプロセッサからなる制御手段であり、ＲＯＭ１２及びＲＡＭ１３０と接続されており、ＲＯＭ１２に記憶されたシステムプログラムに基づきは各部を制御する。制御部１１は、通信部１、ベースバンド部３および切替部１０とそれぞれ接続されており、制御部１１の制御により上述した切替部１０による切り替えが行われる。また、制御部１１によりベースバンド部３の音声コーデック３２が制御され、音声コーデック３２により第１スピーカ４及び第２スピーカ８の音量やマイクロホン６の感度が変更される。
【００２４】
また、ＲＡＭ１３には、制御部１１の動作に必要な情報である携帯電話機１００の各種機能の設定フラグや、ユーザが入力する電話帳等の登録情報を記憶する。
【００２５】
表示部１４は、液晶パネルや有機ＥＬパネルなどから構成される表示手段であり、制御部１１と接続されている。表示部１４は、制御部１１の制御により、メニュー一覧画面、電話帳情報、電子メールといった各種視覚情報を表示する。なお、表示部１４は本発明の表示手段に相当する。バイブレータ１５は、制御部１１に接続されており、制御部１１の制御に基づき着信時に振動を発生させる。
【００２６】
入力部１６は、制御部１１に接続されており、電話番号等の入力を行うテンキー１６１、カーソル移動等に用いられる十字キー１６２、各種機能を選択したり設定したりするための機能キー１６３の他に、発呼及び通話の開始等を操作する通話キー、通話の終了等を操作する終話キー、決定キー、クリアキー等を有している。本実施例では、入力部１６に機能キーを設けていて、そのキーを操作するだけで表示部１４に所望の機能設定画面を表示するようにしている。なお、テンキー１６１は本発明の入力手段に相当し、機能キー１６３は本発明の操作手段に相当する。
【００２７】
開閉検出部１７は、後述するようにスピーカ４や表示部１４が配設された第１の筐体（上部筐体２０１）と、マイクロホン６や入力部１６が配設された第２の筐体（下部筐体２０２）とを回動開閉自在に結合するヒンジ機構２０２の開閉状態を検出し、検出結果を制御部１１に出力する。
【００２８】
また、本実施例の制御部１１は、表示画面変更部１１１と、設定機能処理部１１２と、を備えている。表示画面変更部１１１は、表示部１４の表示画面が待ち受け状態において押下された機能キー１６３に応じて、押下された機能キー１６３と対応付けられた機能設定画面を待ち受け画面から移行して表示するように制御する。また、機能設定画面における設定が終了すると表示部１４の表示画面を再び待ち受け状態に戻す。
【００２９】
また、設定機能処理部１１２は、テンキー１６１からの設定パラメータの入力を受け付けて機能設定画面において設定された各種機能（アラームやマナーモードなど）を制御する。そして、設定機能処理部１１２は、設定されたアラームオン時刻になると、第２スピーカ８を介してアラームの鳴動も開始し、設定されたアラームオフ時刻になると、アラームの鳴動を停止するように制御を行う。なお、表示画面変更部１１１および設定機能処理部１１２は本発明の制御手段に相当する。
【００３０】
図２は、本発明の実施例に係る携帯電話機の外観を示す図である。携帯電話機１０は、ヒンジ機構２０３により回動開閉自在に結合された上部筐体２０１と下部筐体２０２からなり、図２では、通話時あるいは設定操作時に２つの筐体が開いた状態を示す携帯電話機の外観を示している。ユーザが折り畳まれた携帯電話機筐体（上部筐体と下部筐体）を開くと、開閉検出部１７からの検出信号に応じて表示部１４に図２に示すような待ち受け画面が表示される。
【００３１】
図２に示すように、上部筐体２０１には、スピーカ４と表示部１４とが設けられ、表示部１４の表示画面１４１には、待ち受け画面が表示される。下部筐体２０２には、入力部１６とマイクロホン６とが設けられている。入力部１６を形成する操作キー群には、テンキー１６１、十字（４方向）キー１６２および機能キー１６３が含まれている。
【００３２】
本実施例の機能キー１６３は、表示画面１４１に所定の機能設定画面を表示させて機能設定モードに入り、また、機能設定後に、機能設定モードを解除するためのキーである。機能キー１６３は、図２に示すように、携帯電話機１００に所定個数（図２では３つ）設け、それぞれの機能キーに、機能設定を頻繁に行う機能を対応付けておく。その対応付けは、携帯電話機メーカーが予め設定しておいてもよいし、ユーザが自分の好みに応じて自由に設定できるようにしてもよい。
【００３３】
ここで、例えば、図２に示す３つの機能キーの右側の機能キー１６３にアラームオン設定のための機能を対応付け、左側の機能キーにアラームオフ設定のための機能を対応付けたものとして、以下にアラームオン設定時の操作について説明を行う。アラームオン設定は、所定時刻にアラームが鳴るように、時刻設定を行うものである。
【００３４】
図３は、本発明の実施例に係る携帯電話機におけるアラーム設定操作に応じて表示部に表示される設定画面の一例を示す図である。携帯電話機１００が、図２に示す待ち受け状態にあるときにアラームオン設定のための機能キー１６３を押すと、表示画面変更部１１１の制御により図３（ａ）に示すようなアラームオン設定画面１４１ａが表示される。
図３（ａ）に示すように、アラームオン設定画面１４１ａには、『日付を入力してください』というメッセージや日付情報入力欄３０１ａの他、その上方に受信電波の電界強度のレベルを示すアンテナバー、バッテリの残量を示すバッテリアイコン、現在の時刻情報（９時３７分、火曜日）が表示されている。また、アラームオン設定画面１４１ａの下方には、機能キー１６３に割り当てられている操作内容を示すアイコンが表示されており、例えば、図２に示す機能キー１６３が、アラームオン設定画面１４１ａにおいてはこのアラームオン設定画面１４１ａのクリアを指示するためのクリアキーに割り当てられていることを示している。
【００３５】
このアラームオン設定画面１４１ａにおいては、最初は日付情報入力欄３０１ａ（日付指定のための４桁の空欄）の最上位の桁にカーソルが位置しており、例えば、２月２０日に設定したい場合には、まずテンキー１６１の「０」の番号キーを押して、最上位の桁に「０」を入力する。ユーザによってテンキー１６１の「０」番号キーが押下されると、表示部１４には、図３（ｂ）に示すアラームオン設定画面１４１ｂが表示される。
【００３６】
図３（ｂ）に示すように、アラームオン設定画面１４１ｂには、日付情報入力欄の他、その上方に図３（ａ）と同じくアンテナバー、バッテリアイコン、時刻情報が表示され、その下方に図３（ａ）と同じく機能キー１６３に割り当てられている操作内容を示すアイコン（「クリア」）が表示されている。なお、日付情報入力欄のカーソルは、次の桁に移動しているので、ユーザによってテンキー１６１の「２」の番号キーが押下されるだけで、次の桁に「２」が入力され、カーソルは、図３（ｃ）に示すアラームオン設定画面１４１ｃの日付情報入力欄のように、その次の桁に移動する。
【００３７】
以下同様に、順次ユーザによってテンキー１６１の「２」，「０」の番号キーが押下されれば、図３（ｄ）に示すアラームオン設定画面１４１ｄの日付情報入力欄のように、アラームオンの日付が入力されたことになる。ここで、アラームオン設定画面１４１ｄの日付情報入力欄には、数字がすべて入力されたため、アラームオン設定画面１４１ｄの下方に表示される機能キー１６３に割り当てられている操作内容を示すアイコンが「クリア」から「確定」になる。これは、機能キー１６３が、アラームオン設定画面１４１ｄにおいてはこのアラームオン設定画面１４１ｄの日付情報入力欄に入力された数値をアラームオンの日付として設定するための確定キーに割り当てられていることを示している。
【００３８】
そして、ユーザによって機能キー１６３が押下されると、表示画面変更部１１１の制御によりアラームオンの日付が２月２０日に設定され、表示部１４には、図３（ｅ）に示すアラームオン設定画面１４１ｅが表示される。
【００３９】
図３（ｅ）に示すように、アラームオン設定画面１４１ｅには、『時刻を入力してください』というメッセージや時刻情報入力欄３０１ｅの他、その上方に図３（ａ）と同じくアンテナバー、バッテリアイコン、時刻情報が表示されている。また、その下方に図３（ａ）と同じく機能キー１６３に割り当てられている操作内容を示すアイコン（「クリア」）が表示されている。
【００４０】
このアラームオン設定画面１４１ｅにおいては、図３（ａ）と同じく最初は時刻情報入力欄３０１ｅ（時刻指定のための４桁の空欄）の最上位の桁にカーソルが位置しており、例えば、７時００分に設定したい場合には、日付設定と同様に、順次ユーザによってテンキー１６１の「０」，「７」，「０」，「０」の番号キーが押下されれば、図３（ｆ）に示すアラームオン設定画面１４１ｆの時刻情報入力欄のように、アラームオンの時刻が入力されたことになる。
【００４１】
ここで、アラームオン設定画面１４１ｆの時刻情報入力欄には、数字がすべて入力されたため、アラームオン設定画面１４１ｆの下方に表示される機能キー１６３に割り当てられている操作内容を示すアイコンが「確定」になる。そして、ユーザによって機能キー１６３が再度押下されると、表示画面変更部１１１の制御によりアラームオンの時刻が７時００分に設定され、設定画面が消えて図２に示す待ち受け画面に戻る。
【００４２】
なお、所定時刻にアラームが鳴り止むように、時刻設定を行うアラームオフ設定についても、図２に示す３つの機能キーのうちのアラームオフ設定のための機能を対応付けた左側の機能キーを操作することにより、同様に設定することができる。
【００４３】
また、図４は、本発明の実施例に係る携帯電話機におけるアラーム設定操作時の数字入力方法を説明するための図である。日付設定あるいは時刻設定を行う際に、本来は「０」の番号キーを押下すべきところに、謝って「８」の番号キーを押下してしまう等の誤入力をしてしまうことが起こりうる。このような場合、入力の取り消し操作を行ってから入れ直すのは手間がかかる。そこで、本実施例では、図４の矢印で示すように、数字入力をサイクリックに行えるようにして、誤入力した後の残りの桁は、任意の数字（図４では「８」）を入力して、最下位の桁の入力完了後、再度、最上位の桁の入力に戻す。そこで、最上位の桁から改めて入力し直すようにすれば、誤入力をしても、簡単に再入力ができる。
（２）実施例２
実施例１では、機能キー１６３として、専用のキーを設けたが、機能設定を頻繁に行う機能が多数ある場合は、多数の機能キー１６３が必要になる。そこで、実施例２では、テンキー１６１の各番号キーに機能設定キーを割り振るように構成する。例えば、「１」の番号キーにアラームオン設定を割り振り、「２」の番号キーにアラームオフ設定を割り振る。この機能設定キーの割り振りは、携帯電話機メーカーが予め設定しておいてもよいし、ユーザが自分の好みに応じて自由に設定できるようにしてもよい。
【００４４】
ただ、待ち受け画面で単に番号キーを押すと、携帯電話機は、電話番号の入力であると認識してしまう。そこで、割り当てられた番号キーを所定時間（例えば１秒間）以上押し続けられたとき、表示画面変更部１１１は該当する機能設定画面を表示するようにする。
【００４５】
このようにして、アラーム設定画面が表示されたら、実施例１の場合と同様にアラーム設定が行われ、アラーム時刻の入力が完了したら、再度同じ番号キーを所定時間以上押し続けることにより、設定機能を終了させる。このようにすれば、機能設定キーとして、専用のキーを設けることなく、簡単に機能設定画面に移行できるようになる。
【００４６】
以上説明したように本発明に係る携帯電話機によれば、待ち受け画面を表示している状態において所定の機能設定キーを押下するだけで、機能設定画面を呼び出すことがで、この機能設定画面において各種機能の設定コマンド（数字）を入力し、最後に同じ機能設定キーを押下することにより機能の設定を完了させるので、各種機能の設定を簡単に行うことできる。
【００４７】
なお、上記実施例では、機能設定としてアラーム設定（アラームオンとアラームオフ）について説明したが、携帯電話機に設定できる機能はこれに限ることはなく、その他の形態の機能設定に適用することも可能である。例えば、現在時刻設定、電話帳設定、マナーモード設定（マナーモードオンとマナーモードオフ）であっても本発明は同様に適用可能である。
【００４８】
また、上記実施例では、携帯電話機としてヒンジ機構により２つの筐体が結合された形態の折り畳み型携帯電話機について説明したが、携帯電話機はこれに限ることなく、その他の形態の携帯電話機に適用することも可能である。例えば、スライド型の携帯電話機やストレート型の携帯電話機であっても本発明は同様に適用可能である。
【００４９】
また、上記実施例では、本発明を携帯電話機に適用した場合で説明したが、本発明は、これに限定されず、ＰＤＡ（Ｐｅｒｓｏｎａｌ  Ｄｉｇｉｔａｌ  Ａｓｓｉｓｔａｎｔ）やＰＮＤ（Ｐｏｒｔａｂｌｅ  Ｎａｖｉｇａｔｉｏｎ  Ｄｅｖｉｃｅ）などの他の通信装置であってもよく、また、携帯音楽プレーヤや携帯ゲーム機などの一般的に通信機能を有しない他の電子機器であってもよい。
【符号の説明】
【００５０】
１００・・・・携帯電話機
１・・・・通信部
２・・・・アンテナ
３・・・・ベースバンド部
３１・・・・ＣＤＭＡ処理回路
３２・・・・音声コーデック
４・・・・第１スピーカ
５，７，９・・・・増幅回路
６・・・・マイクロホン
８・・・・第２スピーカ
１０・・・・切替部
１１・・・・制御部
１１１・・・・表示画面変更部１１１
１１２・・・・設定機能処理部１１２
１２・・・・ＲＯＭ
１３・・・・ＲＡＭ
１４・・・・表示部
１４１・・・・表示画面
１５・・・・バイブレータ
１６・・・・入力部
１６１・・・・テンキー
１６２・・・・十字キー
１６３・・・・機能キー
１７・・・・開閉検出部
２０１・・・・上部筐体
２０２・・・・下部筐体
２０３・・・・ヒンジ機構
【図１】
2010199692.tif 000003
【図２】
2010199692.tif 000004
【図３】
2010199692.tif 000005
【図４】
2010199692.tif 000006